(57)【特許請求の範囲】
【請求項１】
被写体画像を撮像する撮像部として構成される撮像データを取り込む撮像データ取込手段と、
外部のオーディオ再生装置から、そのオーディオ再生装置で再生されたオーディオデータについての再生日時情報とオーディオ関連データを含む聴取データを取得する聴取データ取得手段と、
上記撮像データに対して、上記撮像部で撮像された撮像データに含まれる撮像日時情報と、上記聴取データ取得手段によって取得された上記聴取データにおける再生日時情報を用いて、撮像データに、上記聴取データに含まれるオーディオ関連データを貼付する処理を行う貼付処理手段と、
上記貼付処理手段でオーディオ関連データが貼付された撮像データを記録媒体に記録させる記録制御手段と、
を備えたデータ処理装置。
【請求項２】
被写体画像を撮像して撮像データを取り込む撮像データ取込ステップと、
外部のオーディオ再生装置から、そのオーディオ再生装置で再生されたオーディオデータについての再生日時情報とオーディオ関連データを含む聴取データを取得する聴取データ取得ステップと、
上記撮像データに対して、上記撮像データに対して、撮像された撮像データに含まれる撮像日時情報と、上記聴取データ取得ステップにおいて取得された上記聴取データにおける再生日時情報を用いて、撮像データに、上記聴取データに含まれるオーディオ関連データを貼付する処理を行う貼付処理ステップと、
上記貼付処理ステップでオーディオ関連データが貼付された撮像データを記録媒体に記録させる記録制御ステップと、
を備えたことを特徴とするデータ処理方法。
【請求項３】
被写体画像を撮像して撮像データを取り込む撮像データ取込ステップと、
外部のオーディオ再生装置から、そのオーディオ再生装置で再生されたオーディオデータについての再生日時情報とオーディオ関連データを含む聴取データを取得する聴取データ取得ステップと、
上記撮像データに対して、上記撮像データに対して、撮像された撮像データに含まれる撮像日時情報と、上記聴取データ取得ステップにおいて取得された上記聴取データにおける再生日時情報を用いて、撮像データに、上記聴取データに含まれるオーディオ関連データを貼付する処理を行う貼付処理ステップと、
上記貼付処理ステップでオーディオ関連データが貼付された撮像データを記録媒体に記録させる記録制御ステップと、
をデータ処理装置に実行させるプログラム。
【発明の詳細な説明】
【技術分野】
【０００１】
本発明はデータ処理装置、データ処理方法、及びプログラムに関し、例えばデジタルスチルカメラ装置やパーソナルコンピュータなどの装置や、それらの動作プログラムとして適用できるものである。
【背景技術】
【０００２】
【特許文献１】特開２００４−３２１２９号公報
【０００３】
一般に普及しているデジタルスチルカメラでは、ＣＣＤセンサ或いはＣＭＯＳセンサなどの固体撮像素子を用いて被写体の画像信号を得、これを撮像した画像データとして記録媒体に記録する。撮像データ（静止画データ）を記録する記録媒体としては、フラッシュメモリを内蔵するメモリカードが用いられたり、或いは光ディスク、光磁気ディスク、ＨＤＤ（Hard Disc Drive）などのディスクメディアが用いられる。
これらの記録媒体に記録された撮像データは、ユーザの操作に応じて表示部に表示させたり、パーソナルコンピュータ等に転送して閲覧することなどができる。
【０００４】
また、ＣＤ（Compact Disc）、ＭＤ（Mini Disc）、ＤＶＤ（Digital Versatile Disc）、ブルーレイディスク（Blu-Ray Disc）などのディスクメディアを用いた携帯用音楽プレーヤや、或いはＨＤＤやメモリカードを用いた携帯用音楽プレーヤも広く利用されている。
さらには、メディアの大容量化、機器の複合機能化などの状況により、より多様な電子機器が開発されている。例えばディスクメディアを用いた携帯用音楽プレーヤに画像表示機能やデジタルカメラ機能を持たせたものも開発されている。
【発明の開示】
【発明が解決しようとする課題】
【０００５】
このように多様な機器が普及する中、ユーザーが携帯型音楽プレーヤで音楽を聴きながらデジタルスチルカメラで写真撮影を行うという状況がみられるようになってきた。さらに、カメラ機能を備えた音楽プレーヤによれば、一台の機器で、音楽再生を楽しみつつ写真撮影を行うといったことも容易となっている。
【０００６】
写真は、ユーザーにとって記念になるものであるが、音楽もユーザーにとって、その時々の状況、環境、感情などを反映することも多い。例えば後の時点で、音楽により当時の気持ちを思い起こすといったこともある。つまり写真としての画像だけでなく、その時々にユーザーが聞いていた音楽も、記念や思い出として重要な要素となる。
そして、特に音楽を聴きながら写真を撮るという機会が多くなると、写真（撮像データ）と合わせて、その聞いていた音楽についても何らかの形で記録しておけるとユーザーにとって好ましい。
そこで本発明はユーザーが撮像を行ったときに聴いていた音楽等に関連する情報を撮像データに貼付できるようにすることを目的とする。
【課題を解決するための手段】
【０００７】
本発明のデータ処理装置は、撮像データを取り込む撮像データ取込手段と、上記撮像データに対して、その撮像データの撮像日時に再生されていたオーディオデータに関するオーディオ関連データを貼付する貼付処理手段と、上記貼付処理手段でオーディオ関連データが貼付された撮像データを記録媒体に記録させる記録制御手段とを備える。
【０００８】
上記撮像データ取込手段は、被写体画像を撮像する撮像部として構成されたり、或いは外部機器とのデータ通信により、外部機器から送信されてくる撮像データを取り込むことができる構成とされる。
即ち例えばカメラ装置、或いは外部のカメラ装置から送信されてくる撮像データを取り込む装置において、本発明のデータ処理装置を実現できる。
【０００９】
また上記撮像データ取込手段が撮像部として構成される場合において、オーディオデータを再生するオーディオ再生手段をさらに備え、上記貼付処理手段は、上記撮像部で撮像を実行した時点に上記オーディオ再生手段で再生されていたオーディオデータに関するオーディオ関連データを取得し、上記撮像部で撮像された撮像データに貼付する。
つまり、カメラ装置とオーディオ再生装置が一体化した機器として本発明のデータ処理装置を実現する場合には、撮像時に聴いていた音楽等についてのオーディオ関連データを、装置内で取得できるため、撮像時に、オーディオ関連データを取得し、これを撮像データに貼付する。
【００１０】
また上記撮像データ取込手段が撮像部として構成される場合において、外部のオーディオ再生装置から、そのオーディオ再生装置で再生されたオーディオデータについての再生日時情報とオーディオ関連データを含む聴取データを取得する聴取データ取得手段をさらに備え、上記貼付処理手段は、上記撮像部で撮像された撮像データに含まれる撮像日時情報と、上記聴取データ取得手段によって取得された上記聴取データにおける再生日時情報を用いて、撮像データに、上記聴取データに含まれるオーディオ関連データを貼付する処理を行う。
例えばカメラ装置として本発明のデータ処理装置を実現する場合に、他のオーディオ再生装置で聴いていた音楽等に関連するオーディオ関連データを貼付するには、外部のオーディオ再生装置から上記聴取データを取得するようにすればよい。すると、日時情報の照合により、撮像データとオーディオ関連データを対応させることができ、それによって撮像データにオーディオ関連データを貼付できる。
【００１１】
また上記撮像データ取込手段が、外部機器から送信されてくる撮像データを取り込む構成とされる場合、外部のオーディオ再生装置から、そのオーディオ再生装置で再生されたオーディオデータについての再生日時情報とオーディオ関連データを含む聴取データを取得する聴取データ取得手段をさらに備え、上記貼付処理手段は、上記撮像データ取込手段で取り込んだ撮像データに含まれる撮像日時情報と、上記聴取データ取得手段によって取得された上記聴取データにおける再生日時情報を用いて、撮像データに、上記聴取データに含まれるオーディオ関連データを貼付する処理を行う。
つまり本発明のデータ処理装置が、外部のカメラ装置等での撮像データに、外部のオーディオ再生装置で再生された音楽等のオーディオ関連データを貼付する装置とする場合、外部のオーディオ再生装置から上記聴取データを取得し、また外部のカメラ装置等から取得する。そして日時情報の照合により、撮像データとオーディオ関連データを対応させ、撮像データにオーディオ関連データを貼付する。
【００１２】
本発明のデータ処理方法は、撮像データを取り込む撮像データ取込ステップと、上記撮像データに対して、その撮像データの撮像日時に再生されていたオーディオデータに関するオーディオ関連データを貼付する貼付処理ステップと、上記貼付処理ステップでオーディオ関連データが貼付された撮像データを記録媒体に記録させる記録制御ステップとを備える。
また本発明のプログラムは、上記データ処理方法をデータ処理装置に実行させるプログラムである。
【００１３】
なお、オーディオ関連データとは、例えば音楽等のオーディオデータの曲名、曲が収められているアルバムのタイトル、演奏者名、作詞作曲者名、楽曲のファイル名、楽曲のＩＤ情報等、聴いていた音楽をユーザーが後の時点で認識したりシステムで楽曲等を同定できるデータである。このオーディオ関連データとしては、オーディオデータ自体、例えば曲の一部などでもよい。
撮像データに対するオーディオ関連データの貼付とは、撮像データにオーディオ関連データを関連づけて記録することを言い、その記録の形式、ファイルフォーマット、管理形態などが問われるものではない。
【発明の効果】
【００１４】
本発明によれば、ユーザーが撮像した撮像データに対して、ユーザーが撮像時に聴いていた音楽等についてのオーディオ関連データが貼付して記録される。これによって撮像データを閲覧するときに曲名等のオーディオ関連データも共に提示したり、或いはオーディオ関連データで示される曲を再生装置に再生させたりして、ユーザーに写真撮影時に聴いていた音楽等を思い起こさせることができ、写真撮影の付加価値を高めることができる。
【発明を実施するための最良の形態】
【００１５】
以下、本発明の実施の形態を次の順序で説明する。
［１．第１の実施の形態：オーディオ再生機能付きのカメラ装置］
［２．第２の実施の形態：コンピュータ装置］
［３．第３の実施の形態：カメラ装置］
［４．変形例及びプログラム］
【００１６】
［１．第１の実施の形態：オーディオ再生機能付きのカメラ装置］
オーディオ再生機能付きのデジタルスチルカメラにおいて本発明のデータ処理装置を実現する例を第１の実施の形態として説明する。
図１はオーディオ再生機能付きのカメラ装置２０の要部の構成を示している。なお、オーディオ再生機能付きのカメラ装置としての具体的な構成例は図４〜図７で後述する。
【００１７】
図１のカメラ装置２０においては、制御部２１、撮像部２２、オーディオ再生処理部２３、記録再生部２４、撮像レンズ機構２６が設けられる。
撮像部２２は、撮像レンズ機構２６から入射される被写体光を受光し、電気信号に変換して各種処理を行い、撮像データを得る。
記録再生部２４は、記録メディア２５に対してデータの記録再生を行う。記録メディア２５としては、光ディスクや不揮発性メモリを内蔵したメモリカードなど、装置に着脱可能な可搬性のメディアでもよいし、ハードディスク（磁気ディスク）、或いは固体メモリなどとして装置に着脱不能に内蔵されるものでもよい。記録再生部２４は、これらの記録メディア２５に応じて、データの変復調、エラー訂正コード処理、メディアアクセス処理を行って各種データの記録再生を行う。
記録再生部２４は、撮像部２２で得られた撮像データ（静止画データ）を記録メディア２５に記録する処理を行う。また、記録再生部２４は、記録メディア２５に記録された撮像データを図１には示していない表示部に表示させるために読み出す処理を行う。
また記録メディア２５にオーディオデータが記録されている場合、記録再生部２４は記録メディア２５からオーディオデータを再生する処理も行う。
【００１８】
例えば記録メディア２５には、図３（ａ）に模式的に示すように撮像データやオーディオデータが記録できる。撮像データファイルＰＨ１，ＰＨ２，ＰＨ３・・・として、撮像部２２で得られた撮像データが記録される。各撮像データファイルは、撮像ファイル管理データによる管理された状態で格納される。
またオーディオコンテンツファイルＭ１，Ｍ２，Ｍ３・・・として楽曲等のオーディオデータが記録される。各オーディオコンテンツファイルＭ１，Ｍ２，Ｍ３・・・はオーディオ管理データによって管理された状態で格納される。
撮像データファイルＰＨは、例えばＥｘｉｆ（Exchangeable Image File Format）規格のファイルとされる。データ内容としては、図３（ｂ）に示すように、ファイルヘッダと、例えばＪＰＥＧ（Joint Photographic Experts Group）方式の圧縮データなどとしての撮像データが含まれる。ファイルヘッダには、ファイル名、データサイズ、ファイル形式、撮像日時などの情報が含まれる。
【００１９】
オーディオ再生処理部２３は、記録再生部２４によって読み出されたオーディオコンテンツファイルについてのオーディオデータ処理を行う。即ちデータデコード、デジタルオーディオ処理、Ｄ／Ａ変換、アナログオーディオ処理等を行い、アナログオーディオ信号としての再生音声信号を得る。再生音声信号は、例えば接続されたヘッドホン９０によって再生出力される。
【００２０】
制御部２１は、カメラ装置２０の各部の動作をコントロールするＣＰＵ（Central Processing Unit）によって成る。そして動作プログラムによって形成されるソフトウエア機能として、撮像部２２の撮像動作を制御する撮像制御部２１ａ、オーディオ再生処理部２３のオーディオ処理動作を制御するオーディオ処理制御部２１ｂ、記録再生部２４の記録再生動作を制御する記録再生制御部２１ｃ、後述する音楽関連データの撮像データへの貼付処理を実行する貼付処理部２１ｄ、日時を計数する時計部２１ｅを備える。
【００２１】
なお、この図１の構成では本発明請求項の構成要件が以下のように相当する。
撮像データ取込手段：撮像部２２、撮像制御部２１ａ。
貼付処理手段：貼付処理部２１ｄ。
記録制御手段：記録再生制御部２１ｃ。
オーディオ再生手段：オーディオ再生処理部２３、オーディオ処理制御部２１ｂ、及び記録再生部２４の再生系。
【００２２】
このようなカメラ装置２０による撮像時の処理について図２で説明する。
図示しないシャッタボタンをユーザーが操作すると、それに応じて撮像部２６で被写体画像を取り込む撮像処理が行われる。制御部２１（撮像制御部２１ａ）はステップＦ１０１として、シャッタ操作に応じて撮像部２２を制御し、撮像処理、つまり静止画データの取込処理を実行させる。
このときステップＦ１０２で制御部２１は、そのシャッタ操作時点（撮像時点）でオーディオ再生中であるか否かを判断し、処理を分岐する。
オーディオ再生中でなければ、ステップＦ１０６で、制御部２１（撮像制御部２１ａ）は、撮像部２２で取り込んだ撮像データのファイル化を実行させる。即ち、ファイル名、時計部２１ｅで得られる日時情報（年月日時分秒）、ファイル形式等のヘッダ情報を撮像部２２に与え、また撮像データについての圧縮エンコードを実行させ、例えば図３（ｂ）のような撮像データファイルとしてのデータを生成させる。
そして制御部２１（撮像制御部２１ａ及び記録再生制御部２１ｃ）は、ステップＦ１０５で、撮像データファイルを記録メディア２５に記録させる。即ち撮像部２２で生成させた撮像データファイルとしてのデータを記録再生部２４に転送させ、メディア種別に応じた記録用のエンコード処理等を実行させて記録メディア２５に記録させる。
【００２３】
一方、ステップＦ１０２でオーディオ再生中であると判断されたら、ステップＦ１０３に進む。オーディオ再生中とは、記録再生制御部２１ｃ及びオーディオ処理制御部２１ｂの制御に基づいて、記録再生部２４が記録メディア２５からオーディオコンテンツファイルを読み出し、オーディオ再生処理部２３がオーディオ処理を行って再生音声を出力している場合、つまりユーザーが音楽等を聴いている場合である。
この場合は、制御部２１（貼付処理部２１ｄ）はステップＦ１０３で、再生中の楽曲等の音楽関連データを取得する。例えば図３に示したオーディオ管理データ、或いはオーディオコンテンツファイルのヘッダ情報等に記述されている曲名、アルバム名、アーティスト名などの情報やオーディオコンテンツファイルとしてのファイル名やコンテンツＩＤなどの情報を取得する。制御部２１は、オーディオ管理データやファイルヘッダは、オーディオ再生に先だって記録メディア２５から読み出しているため、それらの管理データ内容から、音楽関連データを取得することができる。
ステップＦ１０４では、制御部２１（撮像制御部２１ａ及び貼付処理部２１ｄ）は、撮像データファイルを生成させるが、このときに音楽関連データを貼付する。
即ち、撮像データのファイル名、時計部２１ｅで得られる日時情報（年月日時分秒）、ファイル形式等のヘッダ情報を撮像部２２に与え、また撮像データについての圧縮エンコードを実行させる。さらにステップＦ１０３で取得した音楽関連データを撮像部２２に与え、撮像データファイルに貼付させる。これにより例えば図３（ｃ）のような内容の撮像データファイルを生成させる。つまり撮像データに、そのとき聴いていた音楽についての音楽関連データを付加したものである。
そして制御部２１（撮像制御部２１ａ及び記録再生制御部２１ｃ）は、ステップＦ１０５で、撮像データファイルを記録メディア２５に記録させる。即ち撮像部２２で生成させた撮像データファイルとしてのデータを記録再生部２４に転送させ、メディア種別に応じた記録用のエンコード処理等を実行させて記録メディア２５に記録させる。これによって図３（ｃ）のような撮像データファイルが記録されることになる。
【００２４】
以上のように、ユーザーが音楽等を聴きながら写真撮影操作を行った場合、取り込まれた撮像データに対して聴いていた音楽等についての音楽関連データが貼付されて記録メディア２５に保存される。
このように音楽関連データが貼付された撮像データファイルを記録メディア２５から読み出して表示させる場合、音楽関連データの内容（曲名、アーティスト名等）を共に表示したり、或いは、音楽関連データに含まれるファイル名のオーディオコンテンツファイルの再生を実行させることで、ユーザーは写真閲覧を行いながら、撮像時に聴いていた音楽を思い起こしたり、或いはその音楽を聴きながら写真を見るといったことが可能となる。
【００２５】
このような動作を行う図１のカメラ装置２０の具体的な構成を図４〜図７で説明する。
図４（ａ）（ｂ）（ｃ）（ｄ）（ｅ）（ｆ）に、本例のカメラ装置２０に相当するオーディオ・カメラ複合装置１の正面図、平面図、左側面図、右側面図、底面図、背面図を示す。
このオーディオ・カメラ複合装置１の筐体は、上部筐体２と下部筐体３から成り、上部筐体２は下部筐体３に対して開閉される構造を採っている。詳細な機構の説明は省略するが図４（ｅ）に示す開閉操作子１６を操作することで、上部筐体２が開かれた状態となり、いわゆるミニディスク方式のディスクの装填機構が表出する。そしてディスクが装填された状態で上部筐体２を閉じることで、筐体内部でディスクに対する情報の記録又は再生が実行される。
このオーディオ・カメラ複合装置１は、ディスクを装填することにより、そのディスクに記録されているオーディオデータ（楽曲等）の再生を行うことができ、携帯用のオーディオプレーヤとして機能する。またディスクに対して撮像データの記録再生を行うことができ、デジタルスチルカメラとしても機能することになる。
【００２６】
図４（ａ）のように筐体正面には、例えば液晶パネル等による表示部４が設けられている。この表示部４には、オーディオ再生時には、光ディスクに記録されたオーディオデータの選択のための一覧や操作メニュー、再生中のトラックナンバ、進行時間や総演奏時間などの時間情報、操作ガイド、或いはアルバムジャケット画像やトラックに関連づけられた画像などが表示される。
またカメラ動作時は、撮像スタンバイ状態にあるときは、その際に撮像素子で取り込まれている被写体画像（実動画）や、シャッタ操作した時点で撮像された静止画像（写真画像）が表示され、また写真閲覧状態にあるときは、過去に撮像した写真（光ディスクに記録された撮像データ）の再生画像やサムネイル画像が表示される。
【００２７】
また筐体上の所定位置には各種の操作子が設けられている。
図４（ａ）に示すように筐体正面には操作子として、集中コントローラ５，サーチキー６，ストップ／キャンセルキー７、スライドショウ／ディスプレイキー８、メニューキー９が設けられる。また図４（ｂ）に示すように筐体上面にはカメラオン／オフキー１０、シャッタボタン１１が設けられる。また図４（ｄ）に示すように筐体側面にはボリュームキー１２，ダウンロードキー１３，ホールドスイッチ１４が設けられる。
【００２８】
集中コントローラ５は、オーディオ再生動作、撮像データの閲覧動作について主たる操作を行う操作子とされる。集中コントローラ５は、まずその中央部としての突起を押圧するプッシュ操作が可能とされている。また中央部の突起を上下左右に傾ける操作も可能とされ、その上下左右への操作が、アップ操作、ダウン操作、レフト操作、ライト操作とされる。さらに集中コントローラ５の外周部分はいわゆるジョグダイヤルとして回転可能に形成されており、右回り或いは左回りのジョグ操作が可能とされている。
これらのプッシュ操作、アップ操作、ダウン操作、レフト操作、ライト操作、ジョグ操作は、それぞれモード状態に応じて所定の機能が割り当てられており、例えば再生、一時停止、停止、メニューや一覧表示上でのカーソル移動、決定、モード切換、トラック送り／戻し、早送り／早戻し等、ユーザーが実行する主たる操作機能の操作子となる。
【００２９】
サーチキー６は、サーチ操作のためのキーとされる。
ストップ／キャンセルキー７は、再生動作の停止や各種キャンセル操作のためのキーとされる。
スライドショウ／ディスプレイキー８は、スライドショウとして、例えば撮像データのスライドショウの指示や、各種表示モード、表示内容等を選択するキーとされる。
メニューキー９は、表示部４における操作メニュー表示のオン／オフ操作のためのキーとされる。
カメラオン／オフキー１０はカメラ動作の起動及び終了を指示するキーとされる。
シャッタボタン１１は、カメラモードにおいて撮像タイミングを指示するキーである。シャッタボタン１１により写真画像の撮像が行われる。
ボリュームキー１２は、オーディオ再生時の音量調整キーである。
ダウンロードキー１３は、例えば当該オーディオ・カメラ複合装置１をパーソナルコンピュータに接続した場合などにおいて、データのダウンロードを実行させるためのキーである。
ホールドスイッチ１４は、携帯時等の誤操作をなくすために、各操作子のキーの無効化（ホールド状態）を設定するスライド操作子である。
【００３０】
図４（ｅ）のように筐体前面には、ＵＳＢ端子３が設けられ、ＵＳＢ方式のインターフェースで例えばパーソナルコンピュータ等と接続することが可能とされている。
図４（ｃ）のように筐体側面にはヘッドホン／リモコン端子１８が形成され、リモートコントローラ付きのヘッドホンが接続される。
図４（ｄ）のように筐体側面にはバッテリーボックス開閉部３ａが設けられ、このバッテリーボックス開閉部３ａを開くことで、バッテリーの挿入／取り出しが可能となる。
【００３１】
図４（ｆ）のように筐体背面側には、スライド操作可能なレンズカバー１５が設けられている。レンズカバー１５は、撮像レンズの保護のために設けられる。
図５（ａ）（ｂ）に、レンズカバー１５のスライドによる開閉状態を示す。
レンズカバー１５は、図５（ａ）のような閉状態と、図５（ｂ）のような開状態とにスライド可能とされている。図５（ｂ）の開状態とすることで、撮像レンズ１９ａやフラッシュ発光部１９ｂが表出され、カメラ撮像が可能な状態となる。また図５（ａ）の閉状態では、撮像レンズ１９ａやフラッシュ発光部１９ｂが遮蔽され、レンズが保護される状態となる。
【００３２】
図６によりオーディオ・カメラ複合装置１の内部構成を説明する。
ＣＰＵ３０は装置全体の制御部として機能し、オーディオ再生動作、撮像動作や画像再生動作、表示部４の表示動作などのための制御、ユーザー操作の検知、外部機器との通信制御などを行う。ＣＰＵ３０はバス５０を介して各部とデータや制御情報のやりとりを行う。
ＲＡＭ（Random Access Memory）３１は、ＣＰＵ３０が演算のワーク領域として用いたり、動作中の情報の記憶に用いる。
ＲＯＭ（Read Only Memory）３２は、ＣＰＵ３０が実行するプログラムや各種処理係数などが記憶される。
不揮発性メモリ３３（ＮＶ−ＲＡＭ（Non Volatile RAM）やフラッシュＲＯＭ）は、各種係数、設定情報、リジュームポイント（再生停止時のアドレス）、その他、電源オフ時にも保持しておくべき情報の記憶に用いられる。
【００３３】
メディアドライブ部３４は、ＣＰＵ３０の制御に基づいて、ディスク９０、例えばミニディスク方式の光ディスク（又は光磁気ディスク）に対する記録再生を行う。このため、ディスク９０に記録すべきデータについての記録フォーマットへのエンコード部、ディスク９０からの再生データのデコード部、記録再生ヘッド、サーボ機構、スピンドルモータ機構などを備える。
バッファメモリ３５は例えばＳＤ−ＲＡＭにより構成され、このバッファメモリ３５では、メディアドライブ部３４に転送してディスク９０に記録させるデータのバッファリングや、メディアドライブ部３４でディスク９０から読み出されたデータのバッファリングが行われる。オーディオ再生時には、ディスク９０から読み出されたオーディオデータがバッファリングされる。
また、ディスク９０に記録された管理情報、即ちデータの記録再生動作のために必要なディスク９０の物理情報、エリア情報、記録されたデータファイル情報などは、ディスク９０が装填された際に、ＣＰＵ３０の指示によってメディアドライブ部３４によって読み出される（システムリード）が、これらの管理情報はバッファメモリ３５の一部領域に格納され、ＣＰＵ３０が参照できるようにされる。なおＣＰＵ３０は、バッファメモリ３５に格納した管理情報をＲＡＭ３１に取り込んで参照するようにしてもよい。
メモリインターフェース３６は、バッファメモリ３５に格納されるデータの転送処理やバッファメモリ内の書込／読出アドレスの制御処理を行う。
【００３４】
圧縮エンコード／デコード部３７は、例えばＡＴＲＡＣ（Adaptive Transform Acoustic Coding）などの圧縮方式でオーディオデータの圧縮エンコードや圧縮に対するデコードを行う。
圧縮エンコード／デコード部３７でデコード処理されることで例えばリニアＰＣＭデータとされたオーディオデータは、Ｄ／Ａ変換器４７でアナログオーディオ信号に変換され、ヘッドホンアンプ４８に供給される。ヘッドホンアンプ４８では、増幅処理、インピーダンス調整処理などを行い、オーディオ信号をヘッドホン端子４９に供給する。
ヘッドホン端子４９は、図４（ｃ）のヘッドホン／リモコン端子１８におけるヘッドホン端子部分であり、接続されたリモートコントローラ付きのヘッドホンにおいて再生音声が出力されることになる。
【００３５】
なお、図示していないが、例えばライン入力、マイクロホン入力、デジタルオーディオ入力などの入力系が設けられてアナログオーディオ信号又はデジタルオーディオデータが入力される場合、入力されたオーディオ信号は例えばデジタルオーディオデータ形態で圧縮エンコード／デコード部３７に供給され、圧縮エンコードされるようにする。そして圧縮エンコードされたデータがバッファメモリ３５を介してメディアドライブ部３４に転送され、ディスク９０に記録されるようにすることで、オーディオ録音機能を実現することができる。
また、例えばパーソナルコンピュータ等と接続され、オーディオデータがダウンロードされる場合に、該データを圧縮エンコード／デコード部３７で圧縮エンコード処理を行う場合もある。
【００３６】
ＵＳＢインターフェース３９は、ＵＳＢ端子１７を介して接続されるパーソナルコンピュータ等の機器との間のデータ転送処理を行う。
シリアルインターフェース４０は、後述するカメラ／ＬＣＤブロック３８との間のデータ入出力処理を行う。
Ａ／Ｄポート４１は、各種ユーザー操作を検出し、Ａ／Ｄ変換値を操作情報としてＣＰＵ３０に供給する。操作キー４４とは、上述した集中コントローラ５，サーチキー６，ストップ／キャンセルキー７、スライドショウ／ディスプレイキー８、メニューキー９、カメラオン／オフキー１０、シャッタボタン１１、ボリュームキー１２，ダウンロードキー１３を指し、Ａ／Ｄポート４１はこれらの操作子の操作情報を所定の値でＣＰＵ３０に伝える。
また、リモコン端子４６は、図１（ｃ）のヘッドホン／リモコン端子１８におけるリモコン端子部分であり、接続されたヘッドホンに設けられたリモートコントローラからの操作情報がＡ／Ｄポート４１によって検出され、所定の値としてＣＰＵ３０に伝えられる。
シリアルインターフェース４２は、ＣＰＵ３０が指示する表示データをリモコン端子４６からリモートコントローラに供給する。ヘッドホンに設けられたリモートコントローラには表示部が形成されており、その表示部においては、シリアルインターフェース４２を介してＣＰＵ３０から供給された表示制御情報に基づく表示動作が行われる。
【００３７】
ＤＳＰインターフェース４３は、ＣＰＵ３０、ＵＳＢインターフェース３９等のバス５０上の各部と圧縮エンコード／デコード部３７でのデータや制御情報の転送を行う。
ホールドキー１４の操作は、ＣＰＵ３０によって検出される。ＣＰＵ３０はホールドキー１４によってキーの無効化操作がなされている場合、Ａ／Ｄポート４１を介して供給される操作キー４４による操作情報を無効なものとして扱う。
【００３８】
カバー連動スイッチ４５は、レンズカバー１５の開閉に応じてオン／オフが切り換えられるスイッチであり、レンズカバー１５の開閉の検出部として機能する。ＣＰＵ３０はカバー連動スイッチ４５のオン／オフ状態を検知することで、レンズカバー１５が開状態にあるか閉状態にあるかを知ることができる。
【００３９】
カメラ／ＬＣＤブロック３８は、撮像処理系及び表示部４を含む表示処理系としての部位である。
撮像処理系としては、上述した撮像レンズ部１９によって入射される被写体光を検出するＣＣＤセンサ或いはＣＭＯＳセンサ等の固体撮像素子部、固体撮像素子から画素信号を転送し、ゲイン調整やＡ／Ｄ変換を行う撮像信号転送回路、撮像信号転送回路によって得られた撮像画像データに対するホワイトバランス、Ｙ／Ｃ処理等を行うデジタル処理系、撮像画像データに対して圧縮処理やフォーマット処理等を行うエンコード系などが設けられる。
また表示処理系としては、表示部４としてのＬＣＤに表示すべき画像、文字、キャラクタ等を形成する表示画像処理部、表示画像に基づいてＬＣＤを駆動する表示駆動回路などが設けられる。
【００４０】
このようなオーディオ・カメラ複合装置１では、ディスク９０に記録されたオーディオデータの再生が行われる。ユーザーが操作キー４４又はリモートコントローラを用いて再生操作を行った場合、ＣＰＵ３０はメディアドライブ部３４を制御して、ディスク９０のオーディオコンテンツファイル（オーディオトラック）の再生を実行させる。
メディアドライブ部３４で再生されたオーディオデータは、バッファメモリ３５に蓄積された後、順次読み出されて圧縮エンコード／デコード部３７に転送され、デコードされる。そしてＤ／Ａ変換器４７でアナログオーディオ信号とされ、ヘッドホンアンプ４８の処理を介して接続されたヘッドホンから音声出力される。
このオーディオ再生の際には、カメラ／ＬＣＤブロック３８における表示部４及び表示処理系では、ＣＰＵ３０の制御に基づいて、再生メニュー（曲名等の一覧表示）、再生中の曲名、アーティスト名、時間情報、ジャケット画像、スライドショウ画像などの表示動作を実行する。
【００４１】
またカメラ動作として、撮像スタンバイ状態にあるときは、ＣＰＵ３０はカメラ／ＬＣＤブロック３８を制御して、被写体画像の取り込み、画像信号処理や、表示部４での被写体画像（実動画）の表示を実行させる。
その状態でユーザーがシャッタボタン１１を押したら、ＣＰＵ３０は、その時点の被写体画像（静止画）を撮像データとして記録する制御を行う。つまり、そのシャッタ操作時の１フレームの画像データを、バッファメモリ３５を介してメディアドライブ部３４に記録データとして供給する。
メディアドライブ部３４はディスク９０に対して、１つの写真画像ファイルとして撮像データを記録する。
カメラモードにおいて写真閲覧状態にあるときは、ＣＰＵ３０はメディアドライブ部３４にディスク９０に記録されている写真画像ファイルのデータの読出を行う。読み出された画像データはバッファメモリ３５を介して、カメラ／ＬＣＤブロック３８に転送され、表示部４に表示される。
なお、写真画像データは１枚ずつ表示部４に表示される場合と、サムネイル画像として多数の画像が一覧表示される場合がある。ＣＰＵ３０はユーザーの操作に応じて１枚表示とサムネイル表示を切り換えるように制御する。
【００４２】
図７にカメラ／ＬＣＤブロック３８の構成を示す。
上述したようにカメラ／ＬＣＤブロック３８は、撮像処理系と表示処理系が設けられる。
撮像処理系は、上述した撮像レンズ１９ａを含むレンズ系６１、イメージセンサとしての固体撮像素子部６２、撮像信号転送部６３、デジタル信号処理部６４、エンコーダ６５、レンズ駆動部６６、発光駆動部６７、フラッシュ発光部１９ｂ、カメラコントローラ６８、カメラインターフェース６９を有する。
【００４３】
レンズ系６１は、撮像レンズ１９ａやフォーカスレンズ、ズームレンズを備えたレンズ光学系とされ、被写体の撮像光を固体撮像素子部６２に入射する。
固体撮像素子部６２は例えばＣＣＤセンサアレイや、ＣＭＯＳセンサアレイとして構成される。
撮像信号転送部６３は、固体撮像素子部６２の各撮像素子によって得られる信号の転送、サンプリング、ゲイン調整等を行い、さらにＡ／Ｄ変換を行って撮像によるデジタル画像データを生成し、デジタル信号処理部６４に転送する。
デジタル信号処理部６４は、撮像信号転送部６３から得られた撮像画像データに対するホワイトバランス、Ｙ／Ｃ処理等を行う。
エンコーダ６５は、デジタル信号処理部６４で処理された撮像画像データについて圧縮処理やフォーマット処理等を行う。例えばＪＰＥＧ（Joint Photographic Experts Group）方式の静止画撮像データを生成する。
カメラインターフェース６９は、シリアルインターフェース４０を介した撮像データの転送出力や、ＣＰＵ３０からの制御信号の入力処理を行う。
レンズ駆動部６６は、レンズ系６１におけるフォーカスレンズやズームレンズの駆動を行う。
発光駆動部６７は、フラッシュ発光部１９ｂからのフラッシュ発光駆動を行う。
カメラコントローラ６８は、ＣＰＵ３０からの指示に基づいて、当該撮像処理系の動作を制御する。
【００４４】
カメラ／ＬＣＤブロック３８における表示処理系としては、上述した表示部としてのＬＣＤ４、表示駆動回路７１、表示データ処理部７２、表示コントローラ７３、表示インターフェース７４が設けられる。
表示インターフェースは、シリアルインターフェース４０を介した表示データの入力処理や、ＣＰＵ３０からの制御信号の入力処理を行う。
表示データ処理部７２は、表示インターフェース７４もしくは上述した撮像処理系から供給された表示データを格納する。また表示出力のための所要のデコード処理、ＲＧＢ処理等を行う。
表示駆動回路７１は、表示データ処理部７２に格納され、必要な信号処理がされてＲ、Ｇ、Ｂ信号形態とされた表示データを取り込み、表示データに基づいてＬＣＤ４を駆動して表示を実行させる。
表示コントローラ４は当該表示処理系の動作を制御する。
【００４５】
このようなカメラ／ＬＣＤブロック３８において、カメラコントローラ６８、表示コントローラ７３は、それぞれ以下のように制御を行って、必要な動作を実行させる。
まずカメラ動作がＣＰＵ３０から指示されている際には、カメラコントローラ６８は、信号転送回路６３、デジタル信号処理部６４、エンコーダ６５を制御して、被写体画像の取り込み、画像信号処理を実行させる。この場合において、ユーザーがシャッタボタン１１を押すまでの期間は、エンコーダ６５から出力される画像（動画像）を表示データ処理部７２に転送し、表示駆動回路７１によってＬＣＤ４に表示させる。即ちユーザーが被写体を確認できるようにしている。
ユーザーがシャッタボタン１１を押したら、ＣＰＵ３０は、その時点の被写体画像（静止画）を撮像データとして記録する制御を行うが、このときカメラコントローラ６８に、シャッタ操作時の１フレームの画像データを、カメラインターフェース６９、シリアルインターフェース４０を介して出力させる。この撮像データはＣＰＵ３０の制御に基づいて、バッファメモリ３５を介してメディアドライブ部３４に記録データとして供給され、ディスク９０に記録される。
また、その撮像データは表示データ処理部７２にも供給され、表示駆動回路７１によってＬＣＤ４に表示されることで、ユーザーが撮像した画像を確認できるようにしている。
【００４６】
また、カメラコントローラ６８は、ユーザーの操作に基づくＣＰＵ３０からの指示や、自動制御によりレンズ駆動部６６を制御して、オートフォーカス、ズーム動作を実行させる。レンズ駆動に関しては、ＣＰＵ３０からの指示により接写モードと通常モードを切り換える。
またカメラコントローラ６８は、固体撮像素子部６２での電荷蓄積時間調整やデジタル信号処理部６４での信号処理を制御して、露出調整を行ったり、デジタル信号処理部６４やエンコーダ６５を制御して撮像データの画サイズ設定なども行う。
また、カメラコントローラ６８は発光駆動部６７を制御してシャッタタイミングでのフラッシュ発光制御も行う。シャッタタイミングでフラッシュ発光させるか否かはフラッシュ設定のモードとしてＣＰＵ３０から指示される。
【００４７】
表示コントローラ７３は、カメラモードにおいて、上述のように撮像処理系から供給される被写体動画や撮像時の静止画像の表示を実行させるように表示データ処理部７２及び表示駆動回路７１を制御する。
また、ＣＰＵ３０の指示に応じて、シリアルインターフェース４０を介してバッファメモリ３５から転送されてくる画像データや、さらにはＣＰＵ３０から供給される操作メニュー画像、アイコン、一覧画像などの表示が実行されるように制御を行う。
【００４８】
以上のようなオーディオ・カメラ複合装置１として、図１の実施の形態のカメラ装置１が実現でき、上述したように撮像データファイルに音楽関連データを付加した記録が実行できる。
なお、カメラ／ＬＣＤブロック３８における撮像処理系が図１の撮像部２２に相当する。またメディアドライブ部３４が図１の記録再生部２４に相当する。また、圧縮エンコード／デコード部３７、Ｄ／Ａ変換器４７、ヘッドホンアンプ４８が図１のオーディオ再生処理部２３に相当する。またＣＰＵ３０が図１の制御部２１に相当する。
【００４９】
［２．第２の実施の形態：コンピュータ装置］
続いて、本発明のデータ処理装置をコンピュータ装置で実現する例を第２の実施の形態として説明する。
図８はパーソナルコンピュータシステムとしての構成と、パーソナルコンピュータシステムに接続される外部機器としてのカメラ装置２０Ａ、オーディオプレーヤ８０を示している。
【００５０】
パーソナルコンピュータシステムは、パーソナルコンピュータ本体１００（以下、ＰＣ本体という）、マウス１０１、キーボード１０２、モニタ装置１０３から成る。もちろんこれ以外に、プリンタ装置、スキャナ装置、通信装置等の各種外部デバイスが接続される場合もある。
ＰＣ本体１００は、ハードウエア構成として、ＣＰＵ、ＲＯＭ、ＲＡＭ、各種インターフェースユニット等を備えるものであるが、ソフトウエア構成として、図示するようにＯＳ（Operating System）１１１が稼動し、その上で各種アプリケーションが稼働する。例えば文書作成、表計算、描画／作図、会計、ブラウザ、ゲーム、音楽／映像再生などの機能を備えた各種アプリケーションが稼動する。各種のアプリケーションは、ＯＳ１１１を介して、キーボード１０２やマウス１０１からのユーザーの操作を受け付け、処理し、その結果をモニタ装置１０３に表示する。
本例の動作で稼働するアプリケーションとしては、図示する音楽データ同期アプリケーション１１２，撮像データコピーアプリケーション１１３がある。
音楽データ同期アプリケーション１１２は、オーディオプレーヤ８０との通信時に稼働する。
撮像データコピーアプリケーション１１３は、カメラ装置２０Ａとの通信時に稼働する。
【００５１】
またＰＣ本体１００内の記憶デバイスとして、記録メディア１２１に対して各種データの記録再生を行う記録再生部１２０が設けられる。例えば記録再生部１２０は、ＨＤＤ（Hard Disc Drive）とされる。なお、もちろんＨＤＤ以外の、光ディスクドライブや固体メモリ記録再生部などとされてもよい。
またＰＣ本体１００内の通信インターフェースとして外部機器とのデータ通信を行う通信部１１４が設けられる。通信部１１４は、例えばＵＳＢ（Universal Serial Bus）方式の通信インターフェース部として形成される。もちろんＵＳＢに限らず、ＩＥＥＥ（Institute of Electrical and Electronics Engineers）１３９４方式、イーサネット（登録商標）、ワイヤレスＬＡＮ（Local Area Network）、ブルートゥース（Bluetooth）通信などの他の通信インターフェース方式が採用されても良い。
【００５２】
この図８に示すカメラ装置２０Ａは、オーディオ再生機能を備えないカメラ装置、つまり通常のデジタルスチルカメラ等のカメラ装置として示している。
このカメラ装置２０Ａは、図１のカメラ装置２０の構成と同様に、レンズ機構２６、撮像部２２、記録メディア２５に対する記録再生部２４、及び制御部２１を備える。但し制御部２１における機能として図１のオーディオ処理制御部２１ｂは設けられず、撮像データの取込動作や記録メディア２５への撮像データファイルの記録動作を制御するために、撮像制御部２１ａ、記録再生制御部２１ｃ、時計部２１ｅが設けられる。
さらにこのカメラ装置２０Ａは、パーソナルコンピュータシステムとのデータ通信を行う通信部２７が設けられ、またデータ通信制御を行うために制御部２１には通信制御部２１ｆとしての機能が設けられる。
通信部２７は、例えばＵＳＢ方式の通信インターフェース部として形成される。もちろんＵＳＢに限らず、ＩＥＥＥ１３９４方式、イーサネット、ワイヤレスＬＡＮ、ブルートゥース通信などの他の通信インターフェース方式が採用されても良い。
【００５３】
このカメラ装置２０Ａは、ユーザのシャッタボタン操作に応じて、撮像部２２で撮像データを得、例えば図３（ｂ）の形式で撮像データファイルを記録メディア２５に記録していく。つまり通常のデジタルスチルカメラとしての動作である。
【００５４】
オーディオプレーヤ８０は、例えば携帯用の再生装置であり、記録メディア８３に対する記録再生部８２，オーディオ再生処理部８４、通信部８５、制御部８１が設けられる。
記録再生部８２は、音楽等のオーディオコンテンツファイルを記録メディア８３から読み出す動作を行う。また記録再生部８２は、後述する聴取データの記録再生を行う。
この記録再生部８２はＨＤＤとして実現できるし、光ディスクを記録メディア８３としたディスクドライブ装置としても実現できる。さらにはメモリカードを記録メディア８３としたメモリカード再生部としてもよい。
【００５５】
オーディオ再生処理部８４は、記録再生部８２によって読み出されたオーディオコンテンツファイルについてのオーディオデータ処理を行う。即ちデータデコード、デジタルオーディオ処理、Ｄ／Ａ変換、アナログオーディオ処理等を行い、アナログオーディオ信号としての再生音声信号を得る。再生音声信号は、例えば接続されたヘッドホン９０によって再生出力される。
通信部８５は、パーソナルコンピュータシステムとのデータ通信を行う。この通信部８５は、例えばＵＳＢ方式の通信インターフェース部として形成される。もちろんＵＳＢに限らず、ＩＥＥＥ１３９４方式、イーサネット、ワイヤレスＬＡＮ、ブルートゥース通信などの他の通信インターフェース方式が採用されても良い。
【００５６】
制御部８１は、オーディオプレーヤ８０の各部の動作をコントロールするＣＰＵ（Central Processing Unit）によって成る。そして動作プログラムによって形成されるソフトウエア機能として、オーディオ再生処理部８４のオーディオ処理動作を制御するオーディオ処理制御部８１ａ、記録再生部８２の記録再生動作を制御する記録再生制御部８１ｂ、後述する聴取データの生成処理を実行する聴取データ処理部８１ｃ、日時を計数する時計部８１ｄ、通信部２７によるデータ通信の制御を行う通信制御部８１ｅを備える。
【００５７】
なお、この図８においては、パーソナルコンピュータシステムのＰＣ本体１００が本発明のデータ処理装置としての実施の形態となるが、この場合、本発明請求項の構成要件が以下のように相当する。
撮像データ取込手段：通信部１１４及び撮像データコピーアプリケーション１１３による撮像データ受信処理。
貼付処理手段：撮像データコピーアプリケーション１１３による音楽関連データの貼付処理。
記録制御手段：撮像データコピーアプリケーション１１３及びＯＳ１１１による記録再生制御。
聴取データ取得手段：通信部１１４及び音楽データ同期アプリケーション１１２による聴取データ受信処理。
【００５８】
この図８のシステムでは次のような使用形態を想定する。
ユーザーは、携帯用音楽プレーヤであるオーディオプレーヤ８０で音楽を再生させることができる。そしてオーディオプレーヤ８０の再生音楽を聴きながら、カメラ装置２０Ａで写真撮影（撮像データ記録）を行う。
またユーザーは、カメラ装置２０Ａで撮像した撮像データファイルを、任意の時点でＰＣ本体１００に転送し、記録メディア１２１に格納させる。
ＰＣ本体１００は、本発明のデータ処理装置の実施の形態としての処理として、カメラ装置２０Ａから取り込んだ撮像データファイルについて、音楽関連データを貼付する処理を行う。この音楽関連データ及びその貼付のために必要な情報として、オーディオプレーヤ８０では音楽再生に応じて聴取データを生成する。そして任意の時点でオーディオプレーヤ８０とＰＣ本体１００のデータ通信が行われ、聴取データがＰＣ本体１００に転送される。ＰＣ本体１００内では、聴取データを用いて、撮像データファイルに対する音楽関連データの貼付処理を行う。
【００５９】
まずオーディオプレーヤ８０で生成される聴取データについて説明する。
図９（ａ）は、オーディオプレーヤ８０における記録メディア８３に格納される情報の例を示している。
例えば記録メディア８３には、図９（ａ）に模式的に示すようにオーディオコンテンツファイルＭ１，Ｍ２，Ｍ３・・・として楽曲等のオーディオデータが記録される。各オーディオコンテンツファイルＭ１，Ｍ２，Ｍ３・・・はオーディオ管理データによって管理された状態で格納される。
そしてさらに、オーディオコンテンツファイルの再生に応じて制御部８３が逐次生成・更新する聴取データが格納される。
【００６０】
聴取データの内容の例を図９（ｂ）に示す。聴取データは、或るオーディオコンテンツファイルの再生が行われるたびに、その日時と、そのオーディオコンテンツファイルについての音楽関連データを追加していく情報とされる。
即ち日時情報として、或るオーディオコンテンツファイルの再生を開始した年月日時分秒を聴取開始日時として記憶し、またそのオーディオコンテンツファイルの再生を終了した年月日時分秒を聴取終了日時として記憶する。そして音楽関連データとして、再生したオーディオコンテンツファイルの曲名、アルバム名、演奏者名、ファイル名、コンテンツＩＤその他の情報を付加する。
【００６１】
このような聴取データの生成・更新処理を含む、オーディオプレーヤ８０の制御部８１の処理を図１０に示す。
ユーザーが或るオーディオコンテンツファイルの再生を指示する操作を行うと、制御部８１の処理はステップＦ２０１からＦ２０２に進む。このとき時計部８１ｄで計数されている現在日時を聴取開始日時として保存する。そしてステップＦ２０３で、オーディオコンテンツファイルの再生を開始させる。つまり記録再生部に、指定されたオーディオコンテンツファイルの再生を指示すると共に、オーディオ再生処理部８４でのオーディオ処理を指示し、再生音声出力を開始させる。
ステップＦ２０４では、オーディオコンテンツファイルの再生の終了を監視する。再生の終了とは、再生中のオーディオコンテンツファイルの再生演奏が完了した場合か、或いは曲の再生演奏の途中であってもユーザーが再生を停止させたり、頭出し操作などにより他の曲（他のオーディオコンテンツファイル）を指示した場合などで、当該再生中のオーディオコンテンツファイルについての再生が終了される場合を言う。
そして現在のオーディオコンテンツファイルの再生が終了と判断されたら、ステップＦ２０５に進み、制御部８１はその時点で時計部８１ｄで計数されている現在日時を聴取終了日時として保存する。
【００６２】
そしてステップＦ２０６では、制御部８１はそれまで再生していたオーディオコンテンツファイルに関しての聴取データ内容を生成する。即ちステップＦ２０２で保存した聴取開始日時、ステップＦ２０５で保存した聴取終了日時と、音楽関連データを対応させて、聴取データ内容を生成する。音楽関連データは、例えばオーディオ管理データやオーディオコンテンツファイルのヘッダ情報等から取得する。
このステップＦ２０６の処理で、再生された１つのオーディオコンテンツファイル、つまり１曲に関しての聴取データ内容が生成される。
【００６３】
制御部８１は、ステップＦ２０７で次の曲の再生が引き続き行われるか否かを判断する。例えば或る楽曲の再生完了で次の曲の再生が継続される場合、或いはユーザーの頭出し操作などに応じて他の曲の再生に移る場合などは、次の曲の再生が引き続き行われるとして、ステップＦ２０２に戻る。そしてその場合は、次に再生されるオーディオコンテンツファイルについて、ステップＦ２０２〜Ｆ２０６の処理が同様に行われる。
【００６４】
ステップＦ２０７で次の曲の再生が行われないと判断された場合、例えばユーザーが停止操作等で再生自体を終了させた場合や、全曲或いは指定された一部の曲の再生が完了された場合などであって、再生動作自体が終了されたときは、ステップＦ２０８に進み、記録メディア８３における聴取データの更新を行う。
即ちステップＦ２０７で生成した聴取データ内容を、それまで記録メディア８３に記憶されていた聴取データに追加する更新を行う。なお、もちろん記録メディア８３に聴取データ自体が記録されていなければ、新規に聴取データを書き込むことになる。
【００６５】
なお、ステップＦ２０２，Ｆ２０５，Ｆ２０７の処理は、制御部８１の聴取データ処理部８１ｃの機能によって実行され、ステップＦ２０８の処理は、聴取データ処理部８１ｃと記録再生制御部８１ｂの機能によって行われる。
そしてオーディオコンテンツファイルの再生時にこの図１０の処理が行われることにより、オーディオコンテンツファイルとしての１曲の再生毎に、聴取データが、その内容が追加的に更新されていくことになるため、聴取データは常に、過去の再生履歴として再生日時と音楽関連データを保存したものとなる。
【００６６】
このオーディオプレーヤ８０がＰＣ本体１００と通信接続されることで、聴取データがＰＣ本体１００に転送される。
図１１に、オーディオプレーヤ８０とＰＣ本体１００が通信可能に接続された際の処理を示す。ＰＣ本体１００側では音楽データ同期アプリケーション１１２による処理となり、オーディオプレーヤ８０側では制御部８１による処理となる。
【００６７】
ＰＣ本体１００に対してオーディオプレーヤ８０が接続され、ＰＣ本体１００の通信部１１４と、オーディオプレーヤ８０の通信部８５との間の相互の通信が確立されたら、音楽データ同期アプリケーション１１２はステップＦ３０１において、オーディオプレーヤ８０に対して聴取データを要求する送信を行う。
オーディオプレーヤ８０の制御部８１は、ステップＦ３１１で聴取データ要求を受信したら、ステップＦ３１２で記録再生部８２に指示して記録メディア８３から聴取データを読み出させる。そして制御部８１はステップＦ３１３で、記録メディア８３から読み出した聴取データを通信部８５からＰＣ本体１００に対して送信させる。
音楽データ同期アプリケーション１１２は、ステップＦ３０２でオーディオプレーヤ８０から送信されてきた聴取データを受信したら、ステップＦ３０３で、受信した聴取データを記録再生部１２０に転送し、記録メディア１２１に格納させる。
図１３（ｂ）に、記録メディア１２１に聴取データが保存された状態を模式的に示している。
【００６８】
この図１１の処理が行われ、聴取データがＰＣ本体１００にコピーされることで、ＰＣ本体１００において、オーディオプレーヤ８０でユーザーが再生させた音楽等（オーディオコンテンツファイル）についての再生日時や音楽関連データを得ることができる。
なお、このような聴取データの転送はＰＣ本体１００とオーディオプレーヤ８０が通信可能に接続された際に、自動的に行われればよい。
【００６９】
続いて、カメラ装置２０Ａで撮像された撮像データに対して、音楽関連データを貼付する処理を説明する。
ここでは、カメラ装置２０ＡとＰＣ本体１００が通信可能に接続され、カメラ装置２０Ａから撮像データがＰＣ本体１００に転送されたときに、音楽関連データの貼付処理が行われる例として説明する。
図１２に、カメラ装置２０ＡとＰＣ本体１００が通信可能に接続された際の処理を示す。ＰＣ本体１００側では撮像データコピーアプリケーション１１３による処理となり、カメラ装置２０Ａ側では制御部２１による処理となる。
【００７０】
ＰＣ本体１００に対してカメラ装置２０Ａが接続され、ＰＣ本体１００の通信部１１４と、カメラ装置２０Ａの通信部２７との間の相互の通信が確立されたら、撮像データコピーアプリケーション１１３はステップＦ４０１において、カメラ装置２０Ａに対して撮像データを要求する送信を行う。
【００７１】
カメラ装置２０Ａの制御部２１は、ステップＦ４２１で撮像データ要求を受信したら、ステップＦ４２２で記録再生部２４に指示して記録メディア２５から撮像データを順次読み出させ、読み出した撮像データを通信部２７からＰＣ本体１００に対して送信させる。カメラ装置２０Ａの記録メディア２５に、図１３（ａ）のように撮像データファイルＰＨ１，ＰＨ２，ＰＨ３・・・が格納されていれば、これらの撮像データファイルＰＨ１，ＰＨ２，ＰＨ３・・・を順次読み出してＰＣ本体１００に転送することになる。
【００７２】
ＰＣ本体１００の撮像データコピーアプリケーション１１３は、ステップＦ４０２で、カメラ装置２０Ａから順次送信されてくる撮像データについて、記録再生部１２０に転送し、記録メディア１２１に格納させていく。
撮像データコピーアプリケーション１１３は、ステップＦ４０３でカメラ装置２０Ａから転送されてきた撮像データの受信及び記録メディア１２１に保存する処理が全て完了したか否かを確認する。
完了時点において、カメラ装置２０Ａで撮像され記録メディア８３に格納されていた撮像データが、全てＰＣ本体１００（記録メディア１２１）にコピーされたことになる。
【００７３】
記録メディア１２１への撮像データの保存が完了したら、撮像データコピーアプリケーション１１３の処理はステップＦ４０４に進み、音楽データ同期アプリケーション１１２に対して聴取データを要求する。
音楽データ同期アプリケーション１１２は、上述した図１１の処理で記録メディア１２１に格納した聴取データを読み出し、聴取データが存在すれば、撮像データコピーアプリケーション１１３に受け渡す。つまり撮像データコピーアプリケーション１１３は、ステップＦ４０５→Ｆ４０６と進み、聴取データを取得する。
なお、この処理は、必ずしも音楽データ同期アプリケーション１１２を介する必要はなく、撮像データコピーアプリケーション１１３が記録再生部１２０に聴取データの読み出しを指示して聴取データを取り込むようにしてもよい。
【００７４】
既に上記図１１の処理が行われていれば、ステップＦ４０４の時点で、記録メディア１２１には図１３（ｃ）のように、オーディオプレーヤ８０から転送された聴取データと、カメラ装置２０から転送された撮像データファイルＰＨ１，ＰＨ２，ＰＨ３・・・が格納された状態になっている。この場合、聴取データが存在するため、撮像データコピーアプリケーション１１３はステップＦ４０６で聴取データを取得できる。
一方、以前に図１１の処理が行われていなければ、記録メディア１２１に聴取データは保存されておらず、その場合はステップＦ４０５から処理を終える。
【００７５】
聴取データを取得できた場合は。撮像データコピーアプリケーション１１３の処理はステップＦ４０７に進み、撮像データファイルを取り出す。即ち図１３（ｃ）のように記録メディア１２１に格納した撮像データファイルのうち、１つの撮像データファイル（例えばＰＨ１）を読み出す。
そしてステップＦ４０８で、その撮像データファイルＰＨ１がカメラ装置２０Ａで撮像された日時に、オーディオプレーヤ８０で再生していた音楽等が存在するか否かを確認する。上述した第１の実施の形態において説明したように、撮像データファイルのヘッダには、撮像日時の情報が含まれる。また聴取データには、図９で説明したようにオーディオコンテンツファイルの聴取開始日時と聴取終了日時の情報が含まれる。
従ってステップＦ４０８では、例えば撮像データファイルＰＨ１のヘッダ情報から撮像日時を確認し、その撮像日時と、聴取データにおける聴取開始日時と聴取終了日時を比較していくことで、撮像時点にユーザーが聴いていたオーディオコンテンツファイルが存在するか否かを確認できる。
【００７６】
もし、その撮像日時に該当する時点で再生されていたオーディオコンテンツファイルが存在しなければ、その撮像データファイルＰＨ１に貼付すべき音楽関連データは存在しないため、ステップＦ４０８からＦ４１２に進む。
一方、撮像日時に再生されていたオーディオコンテンツファイルが存在する場合は、ステップＦ４０８からＦ４０９に進み、既にその撮像データファイルＰＨ１に音楽関連データが貼付されているか否かを確認する。ステップＦ４０７で取り出した撮像データファイルＰＨ１に対して過去に音楽関連データの貼付処理が行われていた場合、今回の処理は必要ないため、ステップＦ４０９からＦ４１２に進む。
ステップＦ４０９で、撮像データファイルＰＨ１に音楽関連データが貼付されていないと判断されたら、ステップＦ４１０に進み、音楽関連データを貼付する処理を行う。
即ち聴取データにおいて、撮像時点が含まれる聴取開始日時、聴取終了日時に対応して記録されている音楽関連データを読み出し、これを撮像データファイルＰＨ１に貼付する。つまり撮像時点で聴いていたオーディオコンテンツファイルの音楽関連データである。
そして貼付処理を行ったら、ステップＦ４１１で、当該撮像データファイルＰＨ１を、記録メディア１２１に上書き記録させる。つまりそれまで音楽関連データが貼付されていない撮像データファイルＰＨ１が保存された状態であったのを、音楽関連データが貼付された撮像データファイルＰＨ１に書き換える。
そしてステップＦ４１２に進む。
【００７７】
ステップＦ４１２では、まだステップＦ４０７〜Ｆ４１１までの処理について未処理の撮像データファイルの有無を確認する。未処理の撮像データファイルが存在すれば、ステップＦ４０７に戻り、未処理の撮像データファイル（例えば撮像データファイルＰＨ２）を読み出して、同様にステップＦ４０８〜Ｆ４１１の処理を行う。
その後、撮像データファイルＰＨ３以降の撮像データファイルについても同様に処理を行っていく。そしてステップＦ４１２で、未処理の撮像データファイルがないと判断された時点で撮像データコピーアプリケーション１１３による音楽関連データの貼付処理を終える。
以上の処理により、例えば図１３（ｄ）のように、撮像データファイルＰＨ１，ＰＨ２，ＰＨ３・・・に音楽関連データが付加されて記録メディア１２１に保存されることになる。
【００７８】
以上のように、ユーザーがオーディオプレーヤ８０で音楽等を聴きながらカメラ装置２０Ａで写真撮影操作を行った場合、その後ＰＣ本体１００に撮像データファイルを転送した段階で、各撮像データファイルに対して聴いていた音楽等についての音楽関連データが貼付されて記録メディア１２１に保存される。
このように音楽関連データが貼付された撮像データファイルを記録メディア１２１から読み出して、例えばモニタ装置１０３で表示させる場合、音楽関連データの内容（曲名、アーティスト名等）を共に表示することで、ユーザーは写真閲覧を行いながら、撮像時に聴いていた音楽を思い起こすことができる。
また、音楽関連データにオーディオコンテンツファイルのファイル名やコンテンツＩＤなどが存在し、かつ記録メディア１２１にそのオーディオコンテンツファイルが格納されているのであれば、撮像データファイルを記録メディア１２１から読み出してモニタ装置１０３で表示させる場合、音楽関連データからオーディオコンテンツファイルを特定し、ＰＣ本体１００にインストールされているオーディオ再生アプリケーション等を起動して再生出力されることもでき、ユーザーは、撮像時に聴いていた音楽を聴きながら、写真閲覧を行うといったことも可能となる。
【００７９】
なお、図１１、図１２の処理は一例にすぎない。
例えば図１２のステップＦ４０１〜Ｆ４０３と、ステップＦ４０４〜Ｆ４１２は別の処理とされて実行されてもよい。つまりステップＦ４０１〜Ｆ４０３は、カメラ装置２０とＰＣ本体１００との通信によって実行する処理であり、一方、ステップＦ４０４〜Ｆ４１２はＰＣ本体１００側のみで行う処理である。従って、通信確立時にステップＦ４０１〜Ｆ４０３を実行し、非通信時にステップＦ４０４〜Ｆ４１２を実行してもよい。
また、ステップＦ４０１〜Ｆ４０３は、カメラ装置２０Ａで撮像された撮像データファイルをＰＣ本体１００に取り込む処理であるが、必ずしもデータ通信によって実行する必要はない。例えばカメラ装置２０Ａの記録メディア２５が光ディスクやメモリカードなどの可搬性メディアである場合、その記録メディア２５をＰＣ本体１００側に設けられたディスクドライブやメモリカードスロットに装填して再生し、撮像データファイルを取り込むようにしてもよい。
【００８０】
また図１１の処理として、ＰＣ本体１００がオーディオプレーヤ８０から聴取データを取得したら、ステップＦ３０３に続いて図１２のステップＦ４０４〜Ｆ４１２の処理を実行するようにしてもよい。つまり、カメラ装置２０Ａから転送された撮像データファイルに対する音楽関連データの貼付が、聴取データ取得時に実行されるようにする例である。
もちろん図１２のステップＦ４０４〜Ｆ４１２の処理が、ユーザーの操作により、或いは撮像データファイルの格納状況などに応じて自動的に、任意の時点で実行されるようにしてもよい。
【００８１】
［３．第３の実施の形態：カメラ装置］
続いて、本発明のデータ処理装置を、オーディオ再生機能のないカメラ装置で実現する例を第３の実施の形態として説明する。
図１４はオーディオ再生機能のないカメラ装置２０Ｂと、そのカメラ装置２０Ｂとの間でデータ通信を行う外部機器としてのオーディオプレーヤ８０Ａを示している。
【００８２】
この図１４に示すカメラ装置２０Ｂは、図８に示したカメラ装置２０Ａと同様に、レンズ機構２６、撮像部２２、記録メディア２５に対する記録再生部２４、通信部２７、及び制御部２１を備える。但し制御部２１における機能として、撮像データの取込動作や記録メディア２５への撮像データファイルの記録動作を制御するために、撮像制御部２１ａ、記録再生制御部２１ｃ、時計部２１ｅが設けられ、また撮像データに対する音楽関連データの貼付処理を行う貼付処理部２１ｄが設けられる。
さらにこのカメラ装置２０Ｂの通信部２７は、オーディオプレーヤ８０Ａとのデータ通信を行う通信部とされ、またデータ通信制御を行うために制御部２１には通信制御部２１ｆとしての機能が設けられる。
通信部２７は、例えばＵＳＢ方式の通信インターフェース部として形成される。もちろんＵＳＢに限らず、ＩＥＥＥ１３９４方式、イーサネット、ワイヤレスＬＡＮ、ブルートゥース通信などの他の通信インターフェース方式が採用されても良い。
【００８３】
このカメラ装置２０Ｂは、ユーザーのシャッタボタン操作に応じて、操作部２２で撮像データを得、例えば図３（ｂ）の形式で撮像データファイルを記録メディア２５に記録していく。つまり通常のデジタルスチルカメラの動作である。その後、後述する図１５の処理で、記録メディア２５に格納された撮像データファイルに対して、音楽関連データを貼付する処理を行うものとなる。
【００８４】
オーディオプレーヤ８０Ａは、例えば携帯用の再生装置であり、図８のオーディオプレーヤ８０と同様に、記録メディア８３に対する記録再生部８２，オーディオ再生処理部８４、通信部８５、制御部８１が設けられる。制御部８１の機能としても同様に、オーディオ処理制御部８１ａ、記録再生制御部８１ｂ、聴取データ処理部８１ｃ、時計部８１ｄ、通信制御部８１ｅを備える。
この場合、通信部８５は、カメラ装置２０Ｂとのデータ通信を行う。この通信部８５は、例えばＵＳＢ方式の通信インターフェース部として形成される。もちろんＵＳＢに限らず、ＩＥＥＥ１３９４方式、イーサネット、ワイヤレスＬＡＮ、ブルートゥース通信などの他の通信インターフェース方式が採用されても良い。
【００８５】
なお、この図１４においては、カメラ装置２０Ｂが本発明のデータ処理装置としての実施の形態となるが、この場合、本発明請求項の構成要件が以下のように相当する。
撮像データ取込手段：撮像部２２、撮像制御部２１ａ。
貼付処理手段：貼付処理部２１ｄ。
記録制御手段：記録再生制御部２１ｃ。
聴取データ取得手段：通信部２７。
【００８６】
この図１４のシステムでは次のような使用形態を想定する。
ユーザーは、携帯用音楽プレーヤであるオーディオプレーヤ８０Ａで音楽を再生させながら、カメラ装置２０Ｂで写真撮影（撮像データ記録）を行う。
オーディオプレーヤ８０Ａは、上記第２の実施の形態のオーディオプレーヤ８０と同様に、図１０の処理でオーディオコンテンツファイルの再生に応じて聴取データを追加更新していく。そしてオーディオプレーヤ８０Ａとカメラ装置２０Ｂは任意の時点でデータ通信を行い、聴取データがカメラ装置２０Ｂに提供される。
カメラ装置２０Ｂは、撮像して記録メディア２５に格納した撮像データファイルについて、聴取データを用いて音楽関連データを貼付する処理を行う。
【００８７】
聴取データの転送と、それに伴って行われる撮像データファイルへの音楽関連データ貼付処理を図１５で説明する。
図１５は、オーディオプレーヤ８０Ａとカメラ装置２０Ｂが通信可能に接続された際の処理を示している。カメラ装置２０Ｂ側では制御部２１による処理となり、オーディオプレーヤ８０Ａ側では制御部８１による処理となる。
【００８８】
オーディオプレーヤ８０Ａの通信部８５とカメラ装置２０Ｂの通信部２７との間の相互の通信が確立されたら、カメラ装置２０Ｂの制御部２１はステップＦ５０１において、オーディオプレーヤ８０に対して聴取データを要求する送信を行う。
オーディオプレーヤ８０の制御部８１は、ステップＦ５１１で聴取データ要求を受信したら、ステップＦ５１２で記録再生部８２に指示して記録メディア８３から聴取データを読み出させる。そして制御部８１はステップＦ５１３で、記録メディア８３から読み出した聴取データを通信部８５からカメラ装置２０Ｂに対して送信させる。
カメラ装置２０Ｂの制御部２１は、ステップＦ５０２でオーディオプレーヤ８０から送信されてきた聴取データを受信し、その受信した聴取データを記録再生部２４に転送して記録メディア２５に格納させる。
【００８９】
このようにしてオーディオプレーヤ８０Ａから聴取データを取得したら、カメラ装置２０Ｂの制御部２１は、処理をステップＦ５０３に進め、撮像データファイルを取り出す。即ちそれまでの撮像動作によって記録メディア２５に記録してあった撮像データファイルのうち、１つの撮像データファイルを読み出す。
そしてステップＦ５０４で、その撮像データファイルを撮像した日時に、オーディオプレーヤ８０Ａで再生していた音楽等が存在するか否かを確認する。上述した第２の実施の形態において説明したように、聴取データにおける聴取開始日時と聴取終了日時と、撮像データファイルのヘッダ情報に含まれる撮像日時を比較照合していくことで、撮像時点にユーザーが聴いていたオーディオコンテンツファイルが存在するか否かが確認できる。
【００９０】
もし、その撮像日時に該当する時点で再生されていたオーディオコンテンツファイルが存在しなければ、現在処理対象としている撮像データファイルに貼付する音楽関連データは存在しないため、ステップＦ５０４からＦ５０８に進む。
一方、撮像日時に再生されていたオーディオコンテンツファイルが存在する場合は、ステップＦ５０４からＦ５０５に進み、既にその撮像データファイルに音楽関連データが貼付されているか否かを確認する。ステップＦ５０３で取り出した撮像データファイルに対して過去に音楽関連データの貼付処理が行われていた場合、今回の処理は必要ないため、ステップＦ５０５からＦ５０８に進む。
ステップＦ５０５で、処理対象としている撮像データファイルに音楽関連データが貼付されていないと判断されたら、ステップＦ５０６に進み、音楽関連データを貼付する処理を行う。
即ち聴取データにおいて、撮像時点が含まれる聴取開始日時、聴取終了日時に対応して記録されている音楽関連データ、つまり撮像時点で聴いていたオーディオコンテンツファイルの音楽関連データを読み出し、これを撮像データファイルに貼付する。
そして貼付処理を行ったら、ステップＦ５０７で、記録再生部２４によって当該音楽関連データを貼付した撮像データファイルを、記録メディア２５に上書き記録させる。そしてステップＦ５０８に進む。
【００９１】
ステップＦ５０８では、まだステップＦ５０４〜Ｆ５０７までの処理について未処理の撮像データファイルの有無を確認する。未処理の撮像データファイルが記録メディア２５に存在すれば、ステップＦ５０３に戻り、未処理の撮像データファイルを読み出して、同様にステップＦ５０４〜Ｆ５０７の処理を行う。
制御部２１は、ステップＦ５０８で、未処理の撮像データファイルがないと判断された時点で音楽関連データの貼付処理を終える。
以上の処理により、撮像データファイルに音楽関連データが付加されて記録メディア２５に保存された状態となる。
【００９２】
このように、ユーザーがオーディオプレーヤ８０で音楽等を聴きながらカメラ装置２０Ｂで写真撮影操作を行った場合、その後カメラ装置２０Ｂがオーディオプレーヤ８０Ａから聴取データを取得した段階で、各撮像データファイルに対して聴いていた音楽等についての音楽関連データが貼付されて記録メディア２５に保存される。
このように音楽関連データが貼付された撮像データファイルを記録メディア２５から読み出して表示させる場合、音楽関連データの内容（曲名、アーティスト名等）を共に表示することで、ユーザーは写真閲覧を行いながら、撮像時に聴いていた音楽を思い起こすことができる。
また、このようにカメラ装置２０Ｂ内で音楽関連データが貼付された撮像データファイルを、その後にパーソナルコンピュータ等に転送することもできる。すると、パーソナルコンピュータ等で撮像データファイルを閲覧する際に、音楽関連データを共に表示させたり、音楽関連データに基づいて該当曲を再生させたりすることもできる。
【００９３】
なお、図１５の処理は一例にすぎない。
例えば図１５のステップＦ５０１〜Ｆ５０２と、ステップＦ５０３〜Ｆ５０８は、別の処理として制御部２１が実行してもよい。つまりステップＦ５０１〜Ｆ５０２は、オーディオプレーヤ８０Ａとの通信によって実行する処理であり、一方、ステップＦ５０３〜Ｆ５０８はカメラ装置２０Ｂ側のみで行う処理である。従って、通信確立時にステップＦ５０１〜Ｆ５０２を実行し、非通信時にステップＦ５０３〜Ｆ５０８を実行してもよい。
もちろんステップＦ５０３〜Ｆ５０８の処理が、ユーザーの操作により、或いは撮像データファイルの格納状況などに応じて自動的に、任意の時点で実行されるようにしてもよい。
【００９４】
［４．変形例及びプログラム］
以上、実施の形態を説明してきたが、本発明としては多様な変形例が考えられる。
実施の形態では、カメラ装置やパーソナルコンピュータにおいて本発明のデータ処理装置が実現される例を説明したが、撮像データファイルを扱う多様な機器で本発明は実現可能である。例えば携帯用のパーソナルコンピュータ、ＰＤＡ（Personal Digital Assistant）、携帯電話機などであっても本発明は実施可能である。
【００９５】
音楽関連データとしては、曲名、アルバム名、アーティスト名、作詞作曲者名、歌詞の一部テキスト、オーディオデータ自体、オーディオデータの一部などが考えられるが、これ以外も多様に想定できる。再生される楽曲に関連するデータであれば、どのようなものでも良い。
また音楽関連データとして説明し、オーディオコンテンツファイルは楽曲であるとした例で説明したが、もちろん楽曲に限られない。例えば、小説等の朗読音声、講演音声、落語等の芸能音声、風の音、波の音などの自然音などがオーディオコンテンツファイルとして記録されており、撮像時にユーザーが再生させていた場合、それらに関連するデータが撮像データファイルに貼付されればよい。
【００９６】
本発明のプログラムは、撮像データファイルへのオーディオ関連データを貼付する処理を実行させるプログラムである。例えば図２，図１１と図１２、図１５で説明した処理を実行させるプログラムである。
このような本発明のプログラムは、カメラ装置やコンピュータシステムにおける記録媒体としてのシステムＨＤＤや、ＣＰＵを有するマイクロコンピュータ内のＲＯＭ等に予め記録しておくことができる。
あるいはまた、プログラムは、フレキシブルディスク、ＣＤ−ＲＯＭ(Compact Disc Read Only Memory)、ＭＯ(Magnet optical)ディスク、ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウェアとして提供することができる。例えばＣＤ−ＲＯＭ、ＤＶＤ−ＲＯＭ等により提供されることで、コンピュータシステムにインストールできる。またプログラムは、リムーバブル記録媒体からインストールする他、ダウンロードサイトから、ＬＡＮ(Local Area Network)、インターネットなどのネットワークを介してダウンロードすることもできる。
【図面の簡単な説明】
【００９７】
【図１】本発明の第１の実施の形態のカメラ装置の構成のブロック図である。
【図２】第１の実施の形態の音楽関連データ貼付処理のフローチャートである。
【図３】第１の実施の形態の撮像データファイルの説明図である。
【図４】第１の実施の形態のカメラ装置となるオーディオ・カメラ複合装置の正面図、平面図、左側面図、右側面図、底面図、背面図である。
【図５】第１の実施の形態のカメラ装置となるオーディオ・カメラ複合装置のレンズカバーの開閉状態の説明図である。
【図６】第１の実施の形態のカメラ装置となるオーディオ・カメラ複合装置のブロック図である。
【図７】第１の実施の形態のカメラ装置となるオーディオ・カメラ複合装置のカメラ／ＬＣＤブロックのブロック図である。
【図８】第２の実施の形態の構成の説明図である。
【図９】第２，第３の実施の形態で用いる聴取データの説明図である。
【図１０】第２，第３の実施の形態のオーディオプレーヤの処理のフローチャートである。
【図１１】第２の実施の形態のオーディオプレーヤとＰＣ本体の通信時の処理のフローチャートである。
【図１２】第２の実施の形態のカメラ装置とＰＣ本体の通信時の処理のフローチャートである。
【図１３】第２の実施の音楽関連データの貼付までの記録状態の説明図である。
【図１４】第３の実施の形態の構成の説明図である。
【図１５】第３の実施の形態のカメラ装置とオーディオプレーヤの通信時の処理のフローチャートである。
【符号の説明】
【００９８】
２０，２０Ａ，２０Ｂ  カメラ装置、２１  制御部、２１ａ  撮像制御部、２１ｂ  オーディオ処理制御部、２１ｃ  記録再生制御部、２１ｄ  貼付処理部、２１ｅ  時計部、２１ｆ通信制御部、２２  撮像部、２３  オーディオ再生処理部、２４  記録再生部、２５  記録メディア、１００  ＰＣ本体、１１１  ＯＳ、１１２  音楽データ同期アプリケーション、１１３  撮像データコピーアプリケーション、１２０  記録再生部、１２１  記録メディア
【図１】
0004517957.tif 000002
【図２】
0004517957.tif 000003
【図３】
0004517957.tif 000004
【図４】
0004517957.tif 000005
【図５】
0004517957.tif 000006
【図６】
0004517957.tif 000007
【図７】
0004517957.tif 000008
【図８】
0004517957.tif 000009
【図９】
0004517957.tif 000010
【図１０】
0004517957.tif 000011
【図１１】
0004517957.tif 000012
【図１２】
0004517957.tif 000013
【図１３】
0004517957.tif 000014
【図１４】
0004517957.tif 000015
【図１５】
0004517957.tif 000016